(57)【要約】  【課題】  駆動部のメンテナンスを必要とせず、電気掃除機の吸引時においても接続されているアタッチメントのみの交換作業を安全に行うことができる清掃用具を提供する。  【解決手段】  清掃用具１０は、本体部１と、この本体部１に着脱自在に嵌合されたアタッチメント２とにより形成されてあり、本体部１は、吸引風路３と、回転駆動部４とを有し、吸引風路３は、一端が電気掃除機の吸引パイプに連通すると共に、他端に吸引開口３ａを有し、回転駆動部４は、本体部１に取り入れられた吸引風により回転するファン４ａと、回転駆動伝達部４ｃ等とを有し、電気掃除機の吸引時において、本体部１とアタッチメント２との嵌合が外れた状態では、吸引風路３に流れる単位時間当たりの風量が増加することによって、回転駆動伝達部４ｃにおける回転運動が停止又は減速する構成としている。【選択図】図３
2015217075.tif 000002
【特許請求の範囲】
【請求項１】
被清掃面に付着した塵埃等の清掃をする為に使用する清掃用具において、該清掃用具は、本体部と、該本体部に着脱自在に嵌合されたアタッチメントとにより形成されてあり、前記本体部は、吸引風路と、回転駆動部とを有し、前記吸引風路は、一端が電気掃除機の吸引パイプに連通すると共に、他端に吸引開口を有し、前記回転駆動部は、前記本体部に取り入れられた吸引風により回転するファンと、該ファンに連動する減速機構と、該減速機構に連結する回転駆動伝達部とを有し、前記アタッチメントは、前記本体部の前記吸引開口にたいして嵌合可能な吸引風路接続部と、前記回転駆動伝達部にたいして嵌合可能な回転駆動連結部と、前記吸引風路接続部に連通して被清掃面に付着した塵埃等を吸引する為の吸引口を備え、回転駆動伝達部の動力により被清掃面の塵埃を除去する塵埃除去部とを有し、前記電気掃除機の吸引時において、前記本体部と前記アタッチメントとの嵌合が外れた状態では、前記吸引風路に流れる単位時間当たりの風量が増加することによって、前記回転駆動伝達部における回転運動が停止又は減速することを特徴とする清掃用具。
【請求項２】
被清掃面に付着した塵埃等の清掃をする為に使用する清掃用具において、該清掃用具は、本体部と、該本体部に着脱自在に嵌合されたアタッチメントとにより形成されてあり、前記本体部は、吸引風路と、回転駆動部とを有し、前記吸引風路は、一端が電気掃除機の吸引パイプに連通すると共に、他端に吸引開口を有し、前記回転駆動部は、前記本体部に取り入れられた吸引風により回転するファンと、該ファンに連動する減速機構と、該減速機構に連結する回転駆動伝達部とを有すると共に、前記減速機構及び前記回転駆動伝達部は、各々の内部空間に塵埃等が入り込まないように密閉された構造を有するものであって、前記アタッチメントは、前記本体部の前記吸引開口にたいして嵌合可能な吸引風路接続部と、前記回転駆動伝達部にたいして嵌合可能な回転駆動連結部と、前記吸引風路接続部に連通して被清掃面に付着した塵埃等を吸引する為の吸引口を備え、回転駆動伝達部の動力により被清掃面の塵埃を除去する塵埃除去部とを有し、前記電気掃除機の吸引時において、前記本体部と前記アタッチメントとの嵌合が外れた状態では、前記吸引風路に流れる単位時間当たりの風量が増加することによって、前記回転駆動伝達部における回転運動が停止又は減速することを特徴とする清掃用具。
【請求項３】
アタッチメントは、回転駆動伝達部の回転運動を、塵埃除去部の被清掃面にたいする水平方向運動、上下方向運動、回転方向運動の中の少なくとも１方向以上の運動に変換する駆動変換部を有することを特徴とする請求項１又は２に記載の清掃用具。
【請求項４】
本体部とアタッチメントの嵌合は、回転駆動伝達部と回転駆動連結部の嵌合の後、吸引開口と吸引風路接続部が嵌合されるように形成されていることを特徴とする請求項１〜３のいずれか１項に記載の清掃用具。
【請求項５】
本体部のファンを駆動させる為の吸引風路を、吸引開口以外に設けたことを特徴とする請求項１〜４のいずれか１項に記載の清掃用具。
【発明の詳細な説明】
【技術分野】
【０００１】
本発明は、電気掃除機の吸引パイプに連通する吸引風路を備えた清掃用具に関するものである。
【背景技術】
【０００２】
従来から、電気掃除機の吸引パイプに連通する吸引風路を備えた掃除補助具が知られている（特許文献１）。この特許文献１に記載の掃除補助具は、吸引パイプの端部への取付けにより連続する風路を形成する筒形のハウジングと、このハウジングの内部に回転自在に支持され、風路の内部を流れる吸気の作用により回転する羽根車と、この羽根車の回転をハウジングの先端に導く伝動軸と、ハウジングの先端に取付けられ、伝動軸からの伝動により所定の掃除補助動作をなす作用部とを具備するものであった。
【０００３】
また、吸引式毛切断装置として、筒状本体の開口を覆うと共に、バリカンの固定刃にスライドして切断する切断刃と、この切断刃をスライドさせると共に、円柱体の周囲に複数の板状の羽根を縦列方向に重複して設けた羽根車と、この羽根車の一部に風力を当てて羽根車を回転させる第１通風路と、羽根車の回転に寄与しない切られた毛が運ばれる第２通風路とを有する通風路と、第１の通風路と第２通風路に寄与しない外部から直接の風量調整穴を設けた風量調整手段とを備えたものが知られている（特許文献２）。
【先行技術文献】
【特許文献】
【０００４】
【特許文献１】特開２０００−１６６８２５号公報
【特許文献２】特開２００９−２５４７７１号公報
【発明の概要】
【発明が解決しようとする課題】
【０００５】
上記特許文献１の掃除補助具は、羽根車を風路の内部を流れる吸気の作用により回転させることができ、モーターやモーターを駆動させる電源等を必要としないという利点を有するものであったが、羽根車と、羽根車の回転をハウジングの先端に導く伝動軸が、塵埃等を吸引する風路が形成されたハウジング内に設置されていることから、吸引された髪の毛等の塵埃が羽根車や伝動軸に巻き付いた場合には故障する原因となるため、羽根車や伝動軸等の駆動部のメンテナンスを頻繁に行う必要があった。
【０００６】
一方、特許文献２の吸引式毛切断装置は、羽根車を回転させる風路と切断された毛を吸引する風路とを分けることによって、上記特許文献１の掃除補助具が有していた課題を解決するものであった。しかしながら、電気掃除機の吸引時において、バリカンの刃を交換したい場合には、安全上、刃のみを交換することはできず、吸引式毛切断装置本体を電気掃除機から取り外す必要があった。
【０００７】
本発明は、上記課題を解決する為になされたもので、塵埃を除去する機構を駆動させるための駆動部にモーターや電源等を必要とせず、製造コストの低減を図ることができると共に、前記駆動部のメンテナンスを必要とせず、電気掃除機の吸引時においても接続されているアタッチメントのみの交換作業を安全に行うことができる清掃用具を提供することを目的としている。
【課題を解決するための手段】
【０００８】
上記従来の課題を解決する為に、請求項１の発明は、被清掃面に付着した塵埃等の清掃をする為に使用する清掃用具において、該清掃用具は、本体部と、該本体部に着脱自在に嵌合されたアタッチメントとにより形成されてあり、前記本体部は、吸引風路と、回転駆動部とを有し、前記吸引風路は、一端が電気掃除機の吸引パイプに連通すると共に、他端に吸引開口を有し、前記回転駆動部は、前記本体部に取り入れられた吸引風により回転するファンと、該ファンに連動する減速機構と、該減速機構に連結する回転駆動伝達部とを有し、前記アタッチメントは、前記本体部の前記吸引開口にたいして嵌合可能な吸引風路接続部と、前記回転駆動伝達部にたいして嵌合可能な回転駆動連結部と、前記吸引風路接続部に連通して被清掃面に付着した塵埃等を吸引する為の吸引口を備え、回転駆動伝達部の動力により被清掃面の塵埃を除去する塵埃除去部とを有し、前記電気掃除機の吸引時において、前記本体部と前記アタッチメントとの嵌合が外れた状態では、前記吸引風路に流れる単位時間当たりの風量が増加することによって、前記回転駆動伝達部における回転運動が停止又は減速することを特徴としている。したがって、電気掃除機の吸引力によって、ファンを回転させ、塵埃除去部を動かして被清掃面に付着した塵埃等を剥がした後、該塵埃等は、吸引風路を経由して電気掃除機本体へと運ばれるので、ファンを回転させるモーターや電源を必要とせず、製造コストの低減を図ることができる。
【０００９】
また、吸引風路内に回転駆動部を設置していないので、吸引された塵埃等により、回転駆動部が故障するおそれが無く、頻繁にメンテナンスを行う必要がない。さらに、本体部とアタッチメントとの嵌合が外れた状態で回転駆動伝達部における回転運動を停止又は減速させることができるので、電気掃除機の吸引時においても接続されているアタッチメントのみの交換作業を安全に行うことができると共に、回転駆動伝達部が破壊されるのを防ぐことができる。
【００１０】
請求項２の発明は、被清掃面に付着した塵埃等の清掃をする為に使用する清掃用具において、該清掃用具は、本体部と、該本体部に着脱自在に嵌合されたアタッチメントとにより形成されてあり、前記本体部は、吸引風路と、回転駆動部とを有し、前記吸引風路は、一端が電気掃除機の吸引パイプに連通すると共に、他端に吸引開口を有し、前記回転駆動部は、前記本体部に取り入れられた吸引風により回転するファンと、該ファンに連動する減速機構と、該減速機構に連結する回転駆動伝達部とを有すると共に、前記減速機構及び前記回転駆動伝達部は、各々の内部空間に塵埃等が入り込まないように密閉された構造を有するものであって、前記アタッチメントは、前記本体部の前記吸引開口にたいして嵌合可能な吸引風路接続部と、前記回転駆動伝達部にたいして嵌合可能な回転駆動連結部と、前記吸引風路接続部に連通して被清掃面に付着した塵埃等を吸引する為の吸引口を備え、回転駆動伝達部の動力により被清掃面の塵埃を除去する塵埃除去部とを有し、前記電気掃除機の吸引時において、前記本体部と前記アタッチメントとの嵌合が外れた状態では、前記吸引風路に流れる単位時間当たりの風量が増加することによって、前記回転駆動伝達部における回転運動が停止又は減速することを特徴としている。したがって、電気掃除機の吸引力によって、ファンを回転させ、塵埃除去部を動かして被清掃面に付着した塵埃等を剥がした後、該塵埃等は、吸引風路を経由して電気掃除機本体へと運ばれるので、ファンを回転させるモーターや電源を必要とせず、製造コストの低減を図ることができる。
【００１１】
また、吸引風路内に回転駆動部を設置していないと共に、減速機構及び回転駆動伝達部は、各々の内部空間に塵埃等が入り込まないように密閉された構造を有しているので、減速機構及び回転駆動伝達部に吸引された塵埃等が入り込み、噛み込んで動作不良が発生したり、駆動停止等の発生がない。また、吸引された塵埃等により、回転駆動部が故障するおそれが無く、頻繁にメンテナンスを行う必要がない。さらに、本体部とアタッチメントとの嵌合が外れた状態で回転駆動伝達部における回転運動を停止又は減速させることができるので、電気掃除機の吸引時においても接続されているアタッチメントのみの交換作業を安全に行うことができると共に、回転駆動伝達部が破壊されるのを防ぐことができる。
【００１２】
請求項３の発明は、請求項１又は２の清掃用具において、アタッチメントは、回転駆動伝達部の回転運動を、塵埃除去部の被清掃面にたいする水平方向運動、上下方向運動、回転方向運動の中の少なくとも１方向以上の運動に変換する駆動変換部を有することを特徴としている。したがって、駆動変換部によって、水平方向運動、上下方向運動、回転方向運動の中の少なくとも１方向以上の運動を塵埃除去部に行わせることができるので、塵埃除去作業のバリエーションを増やすことができ、確実に塵埃等を除去することができる。
【００１３】
請求項４の発明は、請求項１〜３のいずれかの清掃用具において、本体部とアタッチメントの嵌合は、回転駆動伝達部と回転駆動連結部の嵌合の後、吸引開口と吸引風路接続部が嵌合されるように形成されていることを特徴としている。したがって、回転駆動伝達部と回転駆動連結部の嵌合のみが完了している状態では、吸引風路に流れる単位時間当たりの風量が増加した状態となっているので、回転駆動伝達部における回転運動は停止又は減速した状態を維持することができ、安全に本体部とアタッチメントの嵌合作業を行うことができる。
【００１４】
請求項５の発明は、請求項１〜４のいずれかの清掃用具において、本体部のファンを駆動させる為の吸引風路を、吸引開口以外に設けたことを特徴としている。したがって、ファンに塵埃等が取り込まれるのを防ぐことができるので、塵埃等によって、ファンが故障するのを防ぐことができ、頻繁なメンテナンス作業を省略することができる。
【発明の効果】
【００１５】
請求項１の発明では、ファンを回転させるモーターや電源を必要とせず、製造コストの低減を図ることができる。また、吸引された塵埃等により、回転駆動部が故障するおそれが無く、頻繁にメンテナンスを行う必要がない。さらに、電気掃除機の吸引時においても接続されているアタッチメントのみの交換作業を安全に行うことができると共に、回転駆動伝達部が破壊されるのを防ぐことができる。また、請求項２の発明では、ファンを回転させるモーターや電源を必要とせず、製造コストの低減を図ることができる。また、減速機構及び回転駆動伝達部に吸引された塵埃等が入り込み、噛み込んで動作不良が発生したり、駆動停止等の発生がない。また、吸引された塵埃等により、回転駆動部が故障するおそれが無く、頻繁にメンテナンスを行う必要がない。さらに、電気掃除機の吸引時においても接続されているアタッチメントのみの交換作業を安全に行うことができると共に、回転駆動伝達部が破壊されるのを防ぐことができる。
【００１６】
また、請求項３の発明では、塵埃除去作業のバリエーションを増やすことができ、確実に塵埃等を除去することができる。また、請求項４の発明では、安全に本体部とアタッチメントの嵌合作業を行うことができる。さらに、請求項５の発明では、塵埃等によって、ファンが故障するのを防ぐことができ、頻繁なメンテナンス作業を省略することができる。
【図面の簡単な説明】
【００１７】
【図１】本発明に係る清掃用具の第１実施形態を示す平面図
【図２】本発明に係る清掃用具の第１実施形態を示す正面図
【図３】図２のＡ−Ａ断面図
【図４】本発明に係る清掃用具の第２実施形態を示す平面図
【図５】本発明に係る清掃用具の第２実施形態を示す正面図
【図６】図５のＢ−Ｂ断面図
【発明を実施するための形態】
【００１８】
以下、本発明の実施の形態について、図面を参照しながら説明する。なお、この実施の形態により本発明が限定されるものではない。
【００１９】
図１は、本発明に係る清掃用具の第１実施形態を示す平面図であり、図２は、同正面図、図３は図２のＡ−Ａ断面図である。これらの図を用いて第１実施形態の清掃用具を説明する。第１実施形態の清掃用具１０は、本体部１と、この本体部１に着脱自在に嵌合されたアタッチメント２とにより形成されている。
【００２０】
そして、本体部１は、吸引風路３と、回転駆動部４とを有し、吸引風路３は、一方の端部１ａが電気掃除機の吸引パイプ（図示せず）に連通すると共に、他方の端部に吸引開口３ａを有し、回転駆動部４は、本体部１に取り入れられた吸引風により回転するファン４ａと、このファン４ａに連動する減速機構４ｂと、この減速機構４ｂに連結する回転駆動伝達部４ｃと、ファン４ａを回転させる為に外部から空気を取り込むファン用吸引口２１を有している。ここで、減速機構４ｂと、回転駆動伝達部４ｃは、各々の内部空間４１、４２に塵埃等が入り込まないように密閉された構造を有している。したがって、吸引された塵埃等により、回転駆動部４が故障するおそれが無く、頻繁に内部清掃等のメンテナンスを行う必要がないという利点がある。ここで、減速機構４ｂには、遊星ギアを使用している。遊星ギアは、コンパクトな構成であると共に、回転軸が１本で、回転速度を減速させることができる。尚、回転駆動伝達部４ｃは、図３に示す位置から本体部１側に後退させて、本体部１の外側枠内に入れることもできる。
【００２１】
また、アタッチメント２は、本体部１の吸引開口３ａにたいして嵌合可能な吸引風路接続部５と、回転駆動伝達部４ｃにたいして嵌合可能な回転駆動連結部６と、吸引風路接続部５に連通して被清掃面に付着した塵埃等を吸引する為の吸引口５ａを備え、回転駆動伝達部４ｃの動力により被清掃面の塵埃を除去する塵埃除去部６ａとを有している。
【００２２】
そして、回転駆動連結部６の一方の端部は、回転軸７の一方の端部であり、回転駆動伝達部４ｃと嵌合し、回転駆動連結部６の他方の端部は、回転軸７の他方の端部であり、ネジ８によって塵埃除去部６ａに固定されている。ここで、塵埃除去部６ａは、断面略コ字状に形成されており、開口が吸引口５ａとなり、底面に形成されている複数の塵埃吸引孔６ｂ、６ｂ・・から絞り風路２３へと塵埃が排出される構造となっている。したがって、被清掃面に付着している塵埃は、回転する塵埃除去部６ａの先端に接触することによって剥がされ、吸引口５ａから吸引され、塵埃吸引孔６ｂから絞り風路２３を経由して吸引風路３へと吸引されるのである。
【００２３】
また、清掃用具１０は、図示しない電気掃除機の吸引時において、本体部１とアタッチメント２との嵌合が外れた状態では、吸引風路３に流れる単位時間当たりの風量が増加することによって、回転駆動伝達部４ｃにおける回転運動が停止又は減速する構造となっている。
【００２４】
即ち、図示しない電気掃除機の吸引力が一定の場合において、本体部１とアタッチメント２とが嵌合されている状態では、吸引口５ａから吸引される空気は、吸引風路３の開口径よりも小さい開口径を有する絞り風路２３を通過しているので、吸引風路３に流れる単位時間当たりの風量は、本体部１とアタッチメント２との嵌合が外れた状態の吸引風路３に流れる単位時間当たりの風量よりも小さくなっている。したがって、ファン用吸引口２１から吸引される単位時間あたりの風量は、本体部１とアタッチメント２との嵌合が外れた状態では、減少することとなり、ファン４ａの回転が停止又は減速状態となるので、回転駆動伝達部４ｃにおける回転運動が停止又は減速することとなる。
【００２５】
ここで、本体部１とアタッチメント２との嵌合は、回転駆動伝達部４ｃと回転駆動連結部６の嵌合の後、吸引開口３ａと吸引風路接続部５が嵌合されるように形成されている。したがって、回転駆動伝達部４ｃと回転駆動連結部６の嵌合のみが完了している状態では、吸引風路３に流れる単位時間当たりの風量が増加した状態となっているので、回転駆動伝達部４ｃにおける回転運動は停止又は減速した状態を維持することができ、安全に本体部１とアタッチメント２の嵌合作業を行うことができる。
【００２６】
図４は、本発明に係る清掃用具の第２実施形態を示す平面図であり、図５は、同正面図、図６は図５のＢ−Ｂ断面図である。これらの図を用いて第２実施形態の清掃用具を説明する。第２実施形態の清掃用具２０は、本体部１１と、この本体部１１に着脱自在に嵌合されたアタッチメント１２とにより形成されている。
【００２７】
そして、本体部１１は、吸引風路１３と、回転駆動部１４とを有し、吸引風路１３は、一方の端部１１ａが電気掃除機の吸引パイプ（図示せず）に連通すると共に、他方の端部に吸引開口１３ａを有し、回転駆動部１４は、本体部１１に取り入れられた吸引風により回転するファン１４ａと、このファン１４ａに連動する減速機構１４ｂと、この減速機構１４ｂに連結する回転駆動伝達部１４ｃと、ファン１４ａを回転させる為に外部から空気を取り込むファン用吸引口２２を有している。ここで、減速機構１４ｂと、回転駆動伝達部１４ｃは、各々の内部空間４３、４４に塵埃等が入り込まないように密閉された構造を有している。したがって、吸引された塵埃等により、回転駆動部１４が故障するおそれが無く、頻繁に内部清掃等のメンテナンスを行う必要がないという利点がある。ここで、減速機構１４ｂには、遊星ギアを使用している。遊星ギアは、コンパクトな構成であると共に、回転軸が１本で、回転速度を減速させることができる。また、ファン用吸引口２２を、本体部１１の下側に設けることによって、ファンから発生する音を減少させている。尚、回転駆動伝達部１４ｃは、図６に示す位置から本体部１１側に後退させて、本体部１１の外側枠内に入れることもできる。
【００２８】
また、アタッチメント１２は、本体部１１の吸引開口１３ａにたいして嵌合可能な吸引風路接続部１５と、回転駆動伝達部１４ｃにたいして嵌合可能な回転駆動連結部１６と、吸引風路接続部１５に連通して被清掃面に付着した塵埃等を吸引する為の吸引口１５ａを備え、回転駆動伝達部１４ｃの動力により被清掃面の塵埃を除去する塵埃除去部１６ａとを有している。
【００２９】
そして、回転駆動連結部１６の一方の端部は、回転軸１７ａの一方の端部であり、回転駆動伝達部１４ｃと嵌合し、回転駆動連結部１６の他方の端部は、回転軸１７ａの他方の端部であり、ギア１９ａが形成されており、回転軸１７ｂの一方の端部に形成されているギア１９ｂと噛合うことで、回転軸の長手方向が略９０度変換されている。そして、回転軸１７ｂの他方の端部がネジ１８によって塵埃除去部１６ａに固定されている。ここで、塵埃除去部１６ａは、断面略コ字状に形成されており、開口が吸引口１５ａとなり、底面に形成されている複数の塵埃吸引孔１６ｂ、１６ｂ・・から絞り風路２４へと塵埃が排出される構造となっている。したがって、被清掃面に付着している塵埃は、回転する塵埃除去部１６ａの先端に接触することによって剥がされ、吸引口１５ａから吸引され、塵埃吸引孔１６ｂから絞り風路２４を経由して吸引風路１３へと吸引されるのである。
【００３０】
また、清掃用具２０は、図示しない電気掃除機の吸引時において、本体部１１とアタッチメント１２との嵌合が外れた状態では、吸引風路１３に流れる単位時間当たりの風量が増加することによって、回転駆動伝達部１４ｃにおける回転運動が停止又は減速する構造となっている。この原理については、第１実施形態の清掃用具１０で説明したものと同様であるので、省略する。
【００３１】
尚、本発明は、上記第１実施形態及び第２実施形態に限定されるものではなく、種々の実施形態を採用することができることは言うまでもない。例えば、上記実施形態において、吸引風路接続部５、１５と吸引開口３ａ、１３ａとの間を、手動のスライド板や自動の開閉弁によって遮断した場合には、回転駆動部４、１４の回転数を増加させることができるので、アタッチメントの先端部を変更することによって、ポリッシング清掃等の磨き掃除専用に使用することも可能としている。また、アタッチメント２、１２は、回転駆動伝達部４ｃ、１４ｃの回転運動を、塵埃除去部６ａ、１６ａの被清掃面にたいする水平方向運動、上下方向運動、回転方向運動の中の少なくとも１方向以上の運動に変換する駆動変換部（例えば、第２実施形態における回転軸１７ａ、１７ｂと、ギア１９ａ、１９ｂの構成）を備える態様とすることもでき、これも本発明に含まれる。さらにまた、本体部１、１１の減速機構４ｂ、１４ｂと、回転駆動伝達部４ｃ、１４ｃは、各々の内部空間４１、４２、４３、４４に塵埃等が入り込まないように密閉された構造を有しているが、アタッチメント２、１２の回転駆動連結部６、１６と回転軸７、１７ａ、１７ｂの各々の内部空間においても、塵埃等が入り込まないように密閉された構造を採用できる。前記形態を採用した場合には、清掃用具１０、２０の使用時において、本体部１、１１の減速機構４ｂ、１４ｂ及び回転駆動伝達部４ｃ、１４ｃ、アタッチメント２、１２の回転駆動連結部６、１６及び回転軸７、１７ａ、１７ｂの各々の内部空間に塵埃等が入り込まない為、塵埃による故障等の発生がない。また、頻繁にメンテナンスを行う必要がない。
【産業上の利用可能性】
【００３２】
本発明の清掃用具は、電気掃除機の吸引パイプに接続されて、被清掃面に付着した塵埃等の除去や被清掃面のポリッシングに使用される。
【符号の説明】
【００３３】
１、１１  本体部
１ａ、１１ａ  端部
２、１２  アタッチメント
３、１３  吸引風路
３ａ、１３ａ  吸引開口
４、１４  回転駆動部
４ａ、１４ａ  ファン
４ｂ、１４ｂ  減速機構
４ｃ、１４ｃ  回転駆動伝達部
５、１５  吸引風路接続部
５ａ、１５ａ  吸引口
６、１６  回転駆動連結部
６ａ、１６ａ  塵埃除去部
６ｂ、１６ｂ  塵埃吸引孔
７、１７ａ、１７ｂ  回転軸
８、１８  ネジ
１０、２０  清掃用具
１９ａ、１９ｂ  ギア
２１、２２  ファン用吸引口
２３、２４  絞り風路
４１、４２、４３、４４  内部空間
【図１】
2015217075.tif 000003
【図２】
2015217075.tif 000004
【図３】
2015217075.tif 000005
【図４】
2015217075.tif 000006
【図５】
2015217075.tif 000007
【図６】
2015217075.tif 000008